(57)【要約】【課題】ゴルファーの目の位置が本来あるべきヘッドの上方の正確な位置にあるか否かの判断を、ヘッドに溝や不貫通穴を形成しなくても行えるようになるゴルフ用パタークラブを提供すること。【解決手段】ヘッド２に、上下の高さの差をもって２個のマークが表示され、これらのマークをゴルファーが視認することでこのゴルファーの目の位置が本来あるべきヘッド２の上方の正確な位置にあるか否かを２個のマークの一致、不一致により判断できるようにするために、ヘッド２の内部に、このヘッド２の上面から下方へ延びる長さを有する透明部材４，１４を配置し、これらの透明部材４，１４の上下面４Ａ，４Ｂ，１４Ａ，１４Ｂに、ヘッド２のフェース２Ａと直角をなす方向へ延びるライン６と７、ライン１６と１７を前記２個のマークとして表示する。【選択図】図３
2013094431.tif 000002
【特許請求の範囲】
【請求項１】
ヘッドに、上下の高さの差をもって２個のマークが表示され、これらのマークをゴルファーが視認することでこのゴルファーの目の位置が本来あるべき前記ヘッドの上方の正確な位置にあるか否かを前記２個のマークの一致、不一致により判断するゴルフ用パタークラブにおいて、
前記ヘッドの内部に、このヘッドの上面から下方へ延びる長さを有する透明部材が配置されているとともに、この透明部材の上下面のそれぞれに、前記ヘッドのフェースと直角をなす方向へ延びるラインが表示され、これらのラインが前記２個のマークとなっていることを特徴とするゴルフ用パタークラブ。
【請求項２】
請求項１に記載のゴルフ用パタークラブにおいて、前記透明部材は第１透明部材であり、前記ヘッドの内部に、このヘッドの上面から下方へ延びる長さを有する第２透明部材が配置され、この第２透明部材の上下面のそれぞれに、前記ヘッドのフェースと直角をなす方向へ延びるラインが表示され、前記第１透明部材と前記第２透明部材は前記ヘッドのフェースと直角をなす方向に並設されているとともに、前記第１透明部材と前記第２透明部材のうち、１個の透明部材の前記上面に表示されている前記ラインの延長上に、他の透明部材の前記上面に表示されている前記ラインが配置されていることを特徴とするゴルフ用パタークラブ。
【請求項３】
請求項１に記載のゴルフ用パタークラブにおいて、前記透明部材は第１透明部材であり、前記ヘッドの内部に、このヘッドの上面から下方へ延びる長さを有する第２透明部材が配置され、この第２透明部材の上下面のそれぞれに、前記ヘッドのフェースと平行をなす方向へ延びるラインが表示されていることを特徴とするゴルフ用パタークラブ。
【請求項４】
請求項２に記載のゴルフ用パタークラブにおいて、前記第１透明部材と前記第２透明部材のうち、１個の透明部材の前記上下面のそれぞれに、前記ヘッドのフェースと平行をなす方向へ延びるラインが表示されていることを特徴とするゴルフ用パタークラブ。
【請求項５】
請求項１に記載のゴルフ用パタークラブにおいて、前記透明部材の個数は１個であり、この透明部材の前記上下面のそれぞれに、前記ヘッドのフェースと平行をなす方向へ延びるラインが表示されていることを特徴とするゴルフ用パタークラブ。
【請求項６】
請求項１〜５のいずれかに記載のゴルフ用パタークラブにおいて、前記ヘッドの上面に、前記ラインと直角をなす方向についての前記ヘッドの水平度を確認するための水準器が設けられていることを特徴とするゴルフ用パタークラブ。
【発明の詳細な説明】
【技術分野】
【０００１】
本発明は、ゴルフで用いるパタークラブに係り、特に、このパタークラブのヘッドに関するものである。
【背景技術】
【０００２】
ゴルフ場のグリーンにおいて、パタークラブによりゴルフボールを正確な方向に打ち出す等のためにパタークラブを正しくスイングするためには、ゴルファーがパタークラブを把持してアドレスの体勢をとったときに、ゴルファーの目の位置（言い換えると、ゴルファーの頭の位置）が本来あるべきヘッドの上方の正確な位置にあることが重要であるとされている。そして、ゴルファーの目の位置がこのような正確な位置にあるか否かを確認できるようにしたゴルフ用パタークラブが、下記の特許文献１及び特許文献２に示されている。
【０００３】
特許文献１に示されているゴルフ用パタークラブでは、ヘッドの上面に、ヘッドのフェースと平行に溝を形成するとともに、この溝の両側に第１のマークを表示し、さらに、溝の底部に第２のマークを表示している。ゴルファーの目の位置が本来あるべきヘッドの上方の正確な位置にあるときには、これらのマークが一致し、不正確な位置にあるときには、これらのマークは不一致となって互いにずれることになる。
【０００４】
すなわち、この特許文献１では、ヘッドに、上下の高さの差をもって２個のマークが表示され、これらのマークをゴルファーが視認することでこのゴルファーの目の位置が本来あるべきヘッドの上方の正確な位置にあるか否かを２個のマークの一致、不一致により判断できるようにしている。
【０００５】
また、特許文献２に示されているゴルフ用パタークラブでは、ヘッドに、このヘッドの上面から下方へ延びる円形の不貫通穴を形成し、この不貫通穴をゴルファーが視認したとき、このゴルファーの目の位置が本来あるべきヘッドの上方の正確な位置にある場合には、不貫通穴の円形の上端部と円形の底端部とが重なり合うことになり、これにより、ゴルファーの目の位置が本来あるべきヘッドの上方の正確な位置にあるか否かを判断できるようにしている。
【０００６】
このため、この特許文献２に示されているゴルフ用パタークラブでも、ヘッドに、上下の高さの差をもって２個のマーク（上述の円形の上端部と円形の底端部）が表示されているのと同じ構成になっており、これらのマークをゴルファーが視認することでこのゴルファーの目の位置が本来あるべきヘッドの上方の正確な位置にあるか否かを２個のマークの一致、不一致により判断できるようにしている。
【先行技術文献】
【特許文献】
【０００７】
【特許文献１】特開２００６−２４７３２０号公報
【特許文献２】実開平７−２７６３３号公報
【発明の概要】
【発明が解決しようとする課題】
【０００８】
これらの特許文献１及び特許文献２に示されているゴルフ用パタークラブでは、ヘッドに、上下の高さの差をもって２個のマークを表示するために、ヘッドに溝や不貫通穴を形成しているため、これらの溝や不貫通穴の内部に、例えば、ゴルフ場に存在する芝の葉やバンカーの砂等の塵埃が侵入してしまうおそれがある。このため、このような塵埃が溝や不貫通穴の内部に侵入しているときには、ゴルファーの目の位置が本来あるべきヘッドの上方の正確な位置にあるか否かの判断を、これらの塵埃を除去した後に行わなければならないという問題が生ずる。
【０００９】
本発明の目的は、ゴルファーの目の位置が本来あるべきヘッドの上方の正確な位置にあるか否かの判断を、ヘッドに溝や不貫通穴を形成しなくても行えるようになるゴルフ用パタークラブを提供するところにある。
【課題を解決するための手段】
【００１０】
本発明に係るゴルフ用パタークラブは、ヘッドに、上下の高さの差をもって２個のマークが表示され、これらのマークをゴルファーが視認することでこのゴルファーの目の位置が本来あるべき前記ヘッドの上方の正確な位置にあるか否かを前記２個のマークの一致、不一致により判断するゴルフ用パタークラブにおいて、前記ヘッドの内部に、このヘッドの上面から下方へ延びる長さを有する透明部材が配置されているとともに、この透明部材の上下面のそれぞれに、前記ヘッドのフェースと直角をなす方向へ延びるラインが表示され、これらのラインが前記２個のマークとなっていることを特徴とするものである。
【００１１】
本発明に係るゴルフ用パタークラブでは、ヘッドの内部に、このヘッドの上面から下方へ延びる長さを有する透明部材を配置し、この透明部材の上下面のそれぞれに、ヘッドのフェースと直角をなす方向へ延びるラインを表示し、これらのラインが前記２個のマークとなっているため、ヘッドには、溝や不貫通穴が形成されていない。言い換えると、ヘッドの内部に、このヘッドの上面から下方へ延びる長さを有する透明部材を配置するために、ヘッドの上面から下方へ延びる貫通孔又は不貫通孔をヘッドに形成しても、この貫通孔又は不貫通孔は前記透明部材で塞がれるため、ヘッドには、溝や不貫通穴が形成されていないことになる。
【００１２】
このため、本発明によると、ゴルフ場に存在する芝の葉やバンカーの砂等の塵埃が溝や不貫通穴に侵入する問題が生ずることはなく、したがって、これらの塵埃を除去することが不要になる。
【００１３】
また、ゴルファーが、ヘッドに上下の高さの差をもって２個のマークとして表示された２本のラインをヘッドの上方から視認することにより、このゴルファーの目の位置が本来あるべきヘッドの上方の正確な位置にあるか否かを、透明部材の上面に表示されたラインと、透明部材の下面に表示され、この透明部材を透して認識できるラインとの一致、不一致により判断することができるため、ゴルファーは、目の位置を本来あるべきヘッドの上方の正確な位置にした後に、ゴルフボールをゴルフ用パタークラブで正しく打つことができる。
【００１４】
本発明において、上述の透明部材の個数は、１個でもよく、複数個でもよい。
【００１５】
透明部材の個数を複数個とする場合の一つの例は、前述の透明部材を第１透明部材とし、ヘッドの内部に、このヘッドの上面から下方へ延びる長さを有する第２透明部材を配置し、この第２透明部材の上下面のそれぞれに、ヘッドのフェースと直角をなす方向へ延びるラインを表示し、第１透明部材と第２透明部材をヘッドのフェースと直角をなす方向に並設するとともに、これらの第１透明部材と第２透明部材のうち、１個の透明部材の上面に表示されているラインの延長上に、他の透明部材の上面に表示されているラインを配置することである。
【００１６】
これによると、ゴルファーには、第１透明部材と第２透明部材のそれぞれの上面に表示されているそれぞれのラインが１本の長い線をなすように認識できることになり、この１本の長いラインは、ヘッドのフェースと直角をなす方向に延びるものとなるため、ゴルファーはこの１本の長いラインを目印にして、ゴルフボールを正しく打ち出す方向となっているヘッドのフェースと直角をなす方向にゴルフボールを正確に打つことができる。
【００１７】
また、透明部材の個数を複数個とする場合の別の例は、前述の透明部材を第１透明部材とし、ヘッドの内部に、このヘッドの上面から下方へ延びる長さを有する第２透明部材を配置し、この第２透明部材の上下面のそれぞれに、ヘッドのフェースと平行をなす方向へ延びるラインを表示することである。
【００１８】
これによると、第１透明部材の上下面に表示されているラインの一致、不一致により、ゴルファーの目の位置が、このゴルファーの前後方向について、本来あるべきヘッドの上方の正確な位置にあるか否かを判断できるとともに、第２透明部材の上下面に表示されているラインの一致、不一致により、ゴルファーの目の位置が、このゴルファーの左右方向について、本来あるべきヘッドの上方の正確な位置にあるか否かを判断できるようになる。
【００１９】
また、前述したように、ヘッドの内部に配置された第１透明部材と第２透明部材のそれぞれの上下面に、ヘッドのフェースと直角をなす方向に延びるラインを表示し、これらの第１透明部材と第２透明部材をヘッドのフェースと直角をなす方向に並設するとともに、第１透明部材と第２透明部材のうち、１個の透明部材の上面に表示されているラインの延長上に、他の透明部材の上面に表示されているラインを配置する場合には、第１透明部材と第２透明部材のうち、１個の透明部材の上下面のそれぞれに、ヘッドのフェースと平行をなす方向へ延びるラインを表示してもよい。
【００２０】
これによると、第１透明部材と第２透明部材のうち、上下面のそれぞれに、ヘッドのフェースと直角をなす方向へ延びるラインと、ヘッドのフェースと平行をなす方向へ延びるラインとが表示されている１個の透明部材により、ゴルファーの目の位置が、このゴルファーの前後方向と左右方向の両方について、本来あるべきヘッドの上方の正確な位置にあるか否かを判断できるようになり、また、第１透明部材と第２透明部材のそれぞれの上面にヘッドのフェースと直角をなす方向へ延びて表示されているラインにより、ゴルファーは１本の長い線を認識することになるため、ゴルファーはこの１本の長いラインを目印にして、ゴルフボールを正しく打ち出す方向となっているヘッドのフェースと直角をなす方向にゴルフボールを正確に打つことができるようにもなる。
【００２１】
また、本発明において、ヘッドの内部に配置する透明部材の個数の個数を１個とする場合には、この透明部材の上下面のそれぞれに、前述したようにヘッドのフェースと直角をなす方向に延びるラインを表示するとともに、ヘッドのフェースと平行をなす方向へ延びるラインも表示してもよい。すなわち、１個の透明部材の上下面のそれぞれに、２本のラインを十字形に表示してもよい。
【００２２】
これによると、ヘッドの内部に配置する透明部材の個数を１個だけとすることができ、この１個の透明部材により、ゴルファーの目の位置が、このゴルファーの前後方向と左右方向の両方について、本来あるべきヘッドの上方の正確な位置にあるか否かを判断できるようになる。
【００２３】
以上説明した本発明において、ヘッドの上面に、前述したラインと直角をなす方向についてのヘッドの水平度を確認するための水準器を設けることが好ましい。
【００２４】
これによると、ゴルファーの目の位置が、このゴルファーの前後方向や左右方向について、本来あるべきヘッドの上方の正確な位置にあるか否かを判断する際に、水準器により、ラインと直角をなす方向についてのヘッドの水平度を確認することができるため、上記判断を正確なものすることができる。
【００２５】
なお、上述のラインとして、ヘッドのフェースと直角をなす方向に延びるラインと、ヘッドのフェースと平行をなす方向に延びるラインとの２種類があるゴルフ用パタークラブについては、上述の水準器は、これらのラインごとに用意された２個でもよく、これらのラインの両方についてヘッドの水平度を共通して確認できるようになっている１個でもよい。
【００２６】
また、前述したようにヘッドの内部に、このヘッドの上面から下方へ延びる長さを有する透明部材を配置することは、この透明部材をヘッドの内部に配置するために、このヘッドの上面から下面まで達する貫通孔をヘッドに形成し、この貫通孔に、ヘッドの上下面と対応する高さ位置となる上下面を有している透明部材を挿入することにより行ってもよく、あるいは、透明部材をヘッドの内部に配置するために、このヘッドの上面から下方へ延びているがヘッドの下面まで達しない不貫通孔をヘッドに形成し、この不貫通孔に、この不貫通孔の深さと対応する上下長さを有する透明部材を挿入することにより行ってもよい。
【発明の効果】
【００２７】
本発明によると、ゴルファーの目の位置が本来あるべきヘッドの上方の正確な位置にあるか否かの判断を、ヘッドに溝や不貫通穴を形成しなくても行えることになり、このため、溝や不貫通穴に侵入する塵埃の除去を行う必要がなくなるという効果を得られる。
【図面の簡単な説明】
【００２８】
【図１】図１は、本発明の一実施形態に係るゴルフ用パタークラブのヘッドと、ゴルファーの目との位置関係を示す正面図である。
【図２】図２は、図１のゴルフ用パタークラブのヘッドを示す平面図であって、ヘッドの内部に２個の透明部材を設けた場合の第１実施形態を示す図である。
【図３】図３は、図１のゴルフ用パタークラブのヘッドを示す斜視図である。
【図４】図４は、図１のゴルフ用パタークラブのヘッドの構成部材を示す分解斜視図である。
【図５】図５は、ゴルファーの目の位置の違いにより、透明部材の上下面に２個のマークとして表示されている２本のラインの見え方が（Ａ）（Ｂ）（Ｃ）のように異なることを示した図である。
【図６】図６は、ヘッドを上下三層構造とした実施形態を示すヘッドの拡大正面図である。
【図７】図７は、ヘッドの上面に水準器を配置した実施形態を示す図２と同様の図である。
【図８】図８は、ヘッドの内部に２個の透明部材を設けた場合の第２実施形態を示す図２と同様の図である。
【図９】図９は、図８の実施形態における図５の（Ｂ）（Ｃ）に相当する図である。
【図１０】図１０は、ヘッドの内部に２個の透明部材を設けた場合の第３実施形態を示す図２と同様の図である。
【図１１】図１１は、ヘッドの内部に１個の透明部材を設けた場合の実施形態を示す図２と同様の図である。
【図１２】図１２は、透明部材の上下長さをヘッドの上下厚さ寸法よりも小さくした実施形態を示す図３と同様の図である。
【図１３】図１３は、図１２の実施形態についての図４と同様の図である。
【発明を実施するための形態】
【００２９】
以下に本発明を実施するための形態を図面に基づいて説明する。図１には、本実施形態に係るゴルフ用パタークラブ１のヘッド２の正面図が示されている。このヘッド２の上面の一方の端部の近くには、シャフト１０の下端部が結合され、このシャフト１０の図示されていない上端部に、ゴルファーが把持するグリップが取り付けられている。
【００３０】
図２にはヘッド２の平面図が示され、図３にはヘッド２の斜視図が示されている。ヘッド２は、図２に示されているように、ヘッド２におけるゴルフボール１１を打つための面となっているフェース２Ａから後方へ略台形状に大きく膨出した膨出部２Ｂを有するものとなっている。また、上下面が平行となっているヘッド２は、ヘッド本体３と、円柱状の中実部材となっている第１透明部材４及び第２透明部材１４とからなる。すなわち、ヘッド２は、図３に示されているように、ヘッド２の上面から下方へ延びてヘッド２の下面まで達していることで上下に貫通している同じ大きさの２個の円形の貫通孔５に、同じ直径を有する円柱状の中実部材となっている第１及び第２透明部材４，１４を挿入、固定することにより形成されているため、ヘッド２は、２個の貫通孔５が形成されているヘッド本体３と、第１透明部材４及び第２透明部材１４とからなる。
【００３１】
また、ヘッド２の分解斜視図を示している図４のとおり、ヘッド２のうち、第１及び第２透明部材４，１４を除いたヘッド本体３は、薄板状となっている下側の副部３Ａと、この副部３Ａよりも大きい上下方向の厚さ寸法を有し、副部３Ａの上面に下面が接着等で結合されている上側の主部３Ｂとからなる。したがって、ヘッド本体３は、副部３Ａと主部３Ｂを上下に積層したものとなっている。副部３Ａは、アルミ製又はアルミ合金製又はスチール製又はステンレス等の金属製であり、これに対して主部３Ｂは、木製であり、この主部３Ｂの材料は、例えば、柿、樫、楓等の硬質の木材である。これにより、ヘッド２のフェース２Ａのうち、ゴルフボール１１を打つべき箇所となっているスイートスポットは、硬質の木材で形成されることになり、このため、ゴルフボール１１を打ったときの良好な打感が得られるようになっている。
【００３２】
また、ヘッド本体３は、金属と木材という異種材料を上下二層に積層したものとなっているため、上述のようにゴルフボール１１を打ったときの良好な打感を木材で得られるようにしても、パタークラブ１をスイングしたときの良好なヘッド重量も得られるようになっている。
【００３３】
本実施形態に係るヘッド本体３を構成している副部３Ａと主部３Ｂには、図４に示されているように、上下に貫通したそれぞれ２個の円形の孔５Ａ、５Ｂが形成されており、副部３Ａと主部３Ｂとを接着等で結合したときにこれらの孔５Ａ，５Ｂで形成されることになる上述の貫通孔５に、例えば、透明の合成樹脂材料であるアクリル又は硬質ガラス等で形成された前述の第１及び第２透明部材４，１４が挿入され、貫通孔５の内周面又は透明部材４，１４の外周面に塗布した接着剤により、透明部材４，１４が貫通孔５に固定されている。
【００３４】
透明部材４，１４の上下長さは、すなわち、透明部材４，１４の高さ寸法は、ヘッド本体３の上下寸法と同じである。このため、透明部材４，１４が貫通孔５に挿入、固定されたときには、透明部材４，１４の上面４Ａ，１４Ａはヘッド本体３の上面と一致しているとともに、透明部材４，１４の下面４Ｂ，１４Ｂはヘッド本体３の下面（ソール）と一致している。したがって、透明部材４，１４の上下面４Ａ，１４Ａ，４Ｂ，１４Ｂの高さ位置は、ヘッド２の上下面と対応した位置になっている。このため、透明部材４，１４は、ヘッド２の上面から下方へ延びる長さを有している。
【００３５】
第１及び第２透明部材４，１４の円形となっている上面４Ａ，１４Ａには、これらの上面４Ａ，１４Ａの中心部を通って上面４Ａ，１４Ａの直径方向に延びるライン６，１６が表示され、また、第１及び第２透明部材４，１４の円形となっている下面４Ｂ，１４Ｂにも、これらの下面４Ｂ，１４Ｂの中心部を通って下面４Ｂ，１４Ｂの直径方向に延びるライン７，１７が表示され、これらのライン６と７、ライン１６と１７の延伸方向は同じになっている。これらのライン６，１６，７，１７は、第１及び第２透明部材４，１４の平坦な面となっている上下面４Ａ，１４Ａ，４Ｂ，１４Ｂに塗料で線を直接引くことにより表示してもよく、あるいは、上下面４Ａ，１４Ａ，４Ｂ，１４Ｂに形成した細幅の溝の内部に塗料を埋め込むことにより表示してもよい。
【００３６】
また、ライン６，１６，７，１７の上述の塗料は、ゴルフ場のグリーンの色と明確に区別できる色、すなわち、黒色又は白色又は赤色等の塗料とする。さらに、第１及び第２透明部材４，１４を貫通孔５に挿入、固定するときには、ライン６，１６，７，１７の向きをヘッド２のフェース２Ａと直角をなす方向にして、この挿入、固定の作業を行う。
【００３７】
このような向きとなっているライン６，１６，７，１７が透明部材４，１４の上下面４Ａ，１４Ａ，４Ｂ，１４Ｂに表示されていることにより、本実施形態に係るヘッド２には、上下の高さの差をもって表示されているライン６と７、ライン１６と１７により、２個のマークが、それぞれの透明部材４，１４ごとに、上下の高さの差をもって設けられることになる。そして、下側のライン７，１７は、透明部材４，１４を透してヘッド２の上方から視認することができる。
【００３８】
また、本実施形態において、２個の円形の貫通孔５の中心部は、フェース２Ａのうち、図２で示した前述のスイートスポット２Ｃ（図２のスイートスポット２Ｃは点の状態で示されているが、実際には面積を有している。）を通りかつフェース２Ａと直角をなす方向に延びている線の上にある。このため、第１及び第２透明部材４，１４は、フェース２Ａと直角をなす方向に並設されており、これにより、第１透明部材４の上面４Ａに表示されているライン６の延長上に第２透明部材１４の上面１４Ａに表示されているライン１６が配置され、第１透明部材４の下面４Ｂに表示されているライン７の延長上に第２透明部材１４の下面１４Ｂに表示されているライン１７が配置されることになる。
【００３９】
ゴルファーがゴルフ場のグリーンでゴルフボール１１をパタークラブ１で打つときには、図１に示されているように、前述のグリップを把持してアドレスの体勢をとったゴルファーの目１２は、ヘッド２の上方の位置にある。図５の（Ａ）（Ｂ）（Ｃ）は、目１２の位置の違いにより、透明部材４、１４の上下面４Ａ，４Ｂ，１４Ａ，１４Ｂに２個のマークとして表示されているそれぞれ２本のライン６と７、ライン１６と１７の見え方が異なることを示している。
【００４０】
図５の（Ａ）は、ゴルファーにより、それぞれ２本のライン６と７、ライン１６と１７が重なって見えているときであり、前述したように、これらのライン６，７，１６，１７の延伸方向は同じ方向であって、ライン６，７，１６，１７は、スイートスポット２Ｃを通りかつフェース２Ａと直角をなす方向に延びている線と一致しているため、このときには、目１２の位置は、本来あるべきヘッド２の上方の正確な位置にある。
【００４１】
これに対して図５の（Ｂ）は、ゴルファーにより、透明部材４，１４の上面４Ａ，１４Ａに表示されているライン６，１６が透明部材４，１４の下面４Ｂ，１４Ｂに表示されているライン７，１７に対し、ゴルファーの体の側とは反対側、言い換えると、ゴルファーに対して前側にずれて見えているときであり、このときには、目１２の位置は、本来あるべきヘッド２の上方の正確な位置に対し、ゴルファーの体の側とは反対側にずれた位置にある。
【００４２】
また、図５の（Ｃ）は、ゴルファーにより、透明部材４，１４の上面４Ａ，１４Ａに表示されているライン６，１６が透明部材４，１４の下面４Ｂ，１４Ｂに表示されているライン７，１７に対し、ゴルファーの体の側、言い換えると、ゴルファーに対して後側にずれて見えているときであり、このときには、目１２の位置は、本来あるべきヘッド２の上方の正確な位置に対し、ゴルファーの体の側にずれた位置にある。
【００４３】
このため、ゴルファーは、２本のライン６と７、ライン１６と１７が重なっているか否かにより、言い換えると、ライン６と７、ライン１６と１７の一致、不一致により、目１２の位置が本来あるべきヘッド２の上方の正確な位置にあるか否かを判断することができ、ライン６と７、ライン１６と１７が一致する位置まで目１２の位置を移動させた後に、言い換えると、ライン６と７、ライン１６と１７が一致する位置まで頭の位置を移動させた後に、ゴルフボール１１を打つことにより、パタークラブ１を正しくスイングすることができる。
【００４４】
また、本実施形態では、目１２の位置が本来あるべきヘッド２の上方の正確な位置にあるか否かを判断するための２個のマークとなっているライン６と７、ライン１６と１７は、ヘッド２に不溝や貫通穴を形成することによりヘッド２に表示されておらず、これらのライン６，７，１６，１７は、ヘッド２の内部に、このヘッド２の上面から下方へ延びる長さを有して配置されている透明部材４，１４の上下面４Ａ，４Ｂ，１４Ａ，１４Ｂに表示され、これらの上下面４Ａ，４Ｂ，１４Ａ，１４Ｂの高さ位置はヘッド２の上下面と対応する位置になっているため、これを言い換えると、ヘッド２に形成されている２個の貫通孔５は透明部材４，１４により塞がれているため、このヘッド２には、溝や不貫通穴が形成されていないことになる。
【００４５】
このため、本実施形態に係るパタークラブ１によると、ゴルフ場に存在する芝の葉やバンカーの砂等の塵埃が溝や不貫通穴に侵入するという問題が発生せず、これらの塵埃を除去することが不要になるため、ゴルファーは、パタークラブ１をスイングすることに専念できることになる。
【００４６】
また、本実施形態に係るパタークラブ１では、ヘッド２に２個の透明部材４，１４が設けられており、これらの透明部材４，１４のうち、一方の透明部材４の上面４Ａに表示されているライン６の延長上に、他方の透明部材１４の上面に表示されているライン１６が配置されていて、２個の透明部材４，１４は、ヘッド２のフェース２Ａと直角をなす方向に並設されているため、ゴルファーには、２個の透明部材４，１４の上面４Ａ，１４Ａに表示されているそれぞれのライン６と７が１本の長い線をなすように認識できることになる。そして、この１本の長いラインは、ヘッド２のフェース２Ａと直角をなす方向に延びるものとなっているため、ゴルファーはこの１本の長いラインを目印にして、ゴルフボール１１を正しく打ち出す方向となっているヘッド２のフェース２Ａと直角をなす方向にゴルフボール１１を正確に打つことができるようになる。
【００４７】
図６は、ヘッド本体３を、金属と木材という異種材料を上下三層に積層した実施形態を示している。すなわち、前述した副部３Ａの上に配置されている主部３Ｂのさらに上側に、アルミ製又はアルミ合金製又はスチール製又はステンレス製等の金属製となっている第２の副部３Ｃを設け、これにより、ヘッド本体３を上下三層構造としている。
【００４８】
この実施形態のヘッド２でも、ゴルフボール１１は、良好な打感を得られる木製の主部３Ｂで打たれることになる。そして、この木製の主部３Ｂの上下に金属製の副部３Ａ，３Ｂが配置されているため、パタークラブ１をスイングしたときの一層良好なヘッド重量を得られるとともに、木製の主部３Ｂを金属製の副部３Ａ，３Ｂで保護することもできるようになる。
【００４９】
図７の実施形態では、ヘッド２の上面に水準器２０を配置している。この水準器２０は、透明部材４，１４に表示されているライン６，７，１６，１７と直角をなす方向、言い換えると、ヘッド２のフェース２Ａと平行をなす方向についてのヘッド２の水平度を確認するためのものである。なお、本実施形態で用いられている水準器２０は、目印線２２Ａ付きのガラス管等の透明管２２の内部に液体２３と気泡２４とを封入したものとなっているが、水準器２０は、これ以外の構造のものでもよい。
【００５０】
この実施形態によると、水準器２０により、ヘッド２の姿勢がライン６，７，１６，１７と直角をなす方向について正確に水平になっているか否かを確認することができ、ヘッド２の姿勢を変更して正確に水平になったことを水準器２０で確認したときに、前述したように透明部材４，１４のライン６と７、ライン１６と１７の一致、不一致を判断することにより、この判断を正確なものにすることができる。
【００５１】
図８の実施形態でも、ヘッド２の内部に２個の透明部材４，２４が配置され、これらの透明部材４，２４のうち、一方の透明部材４は図２等で示した第１透明部材４であり、他方の透明部材はこの実施形態における第２透明部材２４である。この第２透明部材２４は、ヘッド２の上下面と対応する高さ位置となっている上下面２４Ａ，２４Ｂを有し、これらの上下面２４Ａ，２４Ｂには、円形となっている上下面２４Ａ，２４Ｂの中心部を通って上下面２４Ａ，２４Ｂの直径方向に延びるライン２６，２７が表示され、これらのライン２６，２７は、ヘッド２のフェース２Ａと平行をなす方向に延びている。
【００５２】
この実施形態によると、第１透明部材４の上下面４Ａ，４Ｂに表示されているライン６，７の一致、不一致により、ゴルファーの目１２が、ゴルファーの前後方向について、本来あるべきヘッド２の上方の正確な位置にあるか否かを判断できるとともに、第２透明部材２４の上下面２４Ａ，２４Ｂに表示されているライン２６，２７の一致、不一致により、ゴルファーの目１２が、ゴルファーの左右方向について、本来あるべきヘッド２の上方の正確な位置にあるか否かを判断できる。このため、ゴルファーの目１２が、本来あるべきヘッド２の上方の正確な位置にあるか否かの判断を一層正確に行えるようになる。
【００５３】
図９は、ゴルファーの目１２が、本来あるべきヘッド２の上方の正確な位置に対し、ゴルファーの左側、言い換えると、ヘッド２のフェース２Ａの側にずれている場合を示しており、この場合のゴルファーには、ライン２６に対し、ライン２７が右側にずれて見えることになる。
【００５４】
また、この実施形態では、図８に示されているように、２個の水準器２０，２１がヘッド２の上面に配置されている。これらの水準器２０，２１のうち、水準器２０は、第１透明部材４に表示されているライン６，７と直角をなす方向についてヘッド２の水平度を確認するためのものであり、水準器２１は、第２透明部材２４に表示されているライン２６，２７と直角をなす方向についてヘッド２の水平度を確認するためのものである。このため、第１及び第２透明部材４，２４のライン６と７、ライン２６と２７により、ゴルファーの目１２が、ゴルファーの前後方向と左右方向の両方について、本来あるべきヘッド２の上方の正確な位置にあるか否かを判断する際に、ヘッド２の姿勢が、ライン６，７と直角をなす方向と、ライン２６，２７と直角をなす方向との両方について、正確に水平になっているか否かを確認できることになる。
【００５５】
なお、図８で示されている第２透明部材２４をヘッド２に設けることは、図２等で示されている第２透明部材１４を９０度回動させてヘッド２の内部に配置することにより、実現できる。
【００５６】
図１０の実施形態でも、ヘッド２の内部に２個の透明部材４，３４が配置され、これらの透明部材４，３４のうち、一方の透明部材４は図２等で示した第１透明部材４であり、他方の透明部材はこの実施形態における第２透明部材３４である。この第２透明部材３４も、ヘッド２の上下面と対応する高さ位置となっている上下面３４Ａ，３４Ｂを有し、これらの上下面３４Ａ，３４Ｂには、円形となっている上下面３４Ａ，３４Ｂの中心部を通って上下面３４Ａ，３４Ｂの直径方向に延びるライン３６，３７が表示されているとともに、これらのライン３６，３７と直交し、上下面３４Ａ，３４Ｂの中心部を通って上下面３４Ａ，３４Ｂの直径方向に延びるライン３８，３９も表示されている。
【００５７】
ライン３６，３７は、ヘッド２のフェース２Ａと平行をなす方向に延びるラインであり、ライン３８，３９は、ヘッド２のフェース２Ａと直角をなす方向に延びるラインである。
【００５８】
この実施形態によると、第１及び第２透明部材４，３４の上下面４Ａ，４Ｂ，３４Ａ，３４Ｂに表示されているライン６と７、ライン３８と３９の一致、不一致により、ゴルファーの目１２が、このゴルファーの前後方向について、本来あるべきヘッド２の上方の正確な位置にあるか否かを判断できるとともに、第２透明部材３４の上下面３４Ａ，３４Ｂに表示されているライン３６，３７の一致、不一致により、ゴルファーの目１２が、このゴルファーの左右方向について、本来あるべきヘッド２の上方の正確な位置にあるか否かを判断できる。
【００５９】
また、第１及び第２透明部材４，３４の上面４Ａ，３４Ａ，３４Ｂに表示されているライン６と３８は、ゴルファーに１本の長い線をなすように認識され、この１本の長いラインは、ヘッド２のフェース２Ａと直角をなす方向に延びるものとなるため、ゴルファーはこの１本の長いラインを目印にして、ゴルフボール１１を正しく打ち出す方向となっているヘッド２のフェース２Ａと直角をなす方向にゴルフボール１１を正確に打つことができる。
【００６０】
また、この実施形態でも、ライン６，７，３８，３９と直角をなす方向についてのヘッド２の水平度を確認するための水準器２０と、ライン３６，３７と直角をなす方向についてのヘッド２の水平度を確認するための水準器２１とが、ヘッド２０の上面に配置されている。このため、これらの水準器２０，２１により、ヘッド２の姿勢が、ライン６，７，３８，３９と直角をなす方向と、ライン３６，３７と直角をなす方向との両方について、正確に水平になっていることを確認した後に、ライン６と７、ライン３８と３９の一致、不一致により、ゴルファーの目１２が、ゴルファーの前後方向について、本来あるべきヘッド２の上方の正確な位置にあるか否かを判断できるとともに、ライン３６と３７の一致、不一致により、ゴルファーの目１２が、ゴルファーの左右方向について、本来あるべきヘッド２の上方の正確な位置にあるか否かを判断できる。
【００６１】
図１１は、ヘッド２に内部に配置する透明部材の個数を１個とした実施形態を示している。この透明部材４４は、ヘッド２の上下面と対応する高さ位置となっている上下面４４Ａ，４４Ｂに、円形となっている上下面４４Ａ，４４Ｂの中心部を通って上下面４４Ａ，４４Ｂの直径方向に延びるライン４６，４７と、これらのライン４６，４７と直交し、上下面４４Ａ，４４Ｂの中心部を通って上下面４４Ａ，４４Ｂの直径方向に延びるライン４８，４９とが表示されたものとなっている。
【００６２】
ライン４６，４７は、ヘッド２のフェース２Ａと平行をなす方向に延びるラインであり、ライン４８，４９は、ヘッド２のフェース２Ａと直角をなす方向に延びるラインである。
【００６３】
この実施形態によると、ライン４８と４９の一致、不一致により、ゴルファーの目１２が、ゴルファーの前後方向について、本来あるべきヘッド２の上方の正確な位置にあるか否かを判断でき、また、ライン４６，４７の一致、不一致により、ゴルファーの目１２が、このゴルファーの左右方向について、本来あるべきヘッド２の上方の正確な位置にあるか否かを判断できる。
【００６４】
また、この実施形態でも、ライン４８，４９と直角をなす方向についてのヘッド２の水平度を確認するための水準器２０と、ライン４６，４７と直角をなす方向についてのヘッド２の水平度を確認するための水準器２１とが、ヘッド２０の上面に配置されている。このため、これらの水準器２０，２１により、ヘッド２の姿勢が、ライン４８，４９と直角をなす方向と、ライン４６，４７と直角をなす方向との両方について、正確に水平になっていることを確認した後に、ライン４８と４９の一致、不一致により、ゴルファーの目１２が、ゴルファーの前後方向について、本来あるべきヘッド２の上方の正確な位置にあるか否かを判断でき、また、ライン４６と４７の一致、不一致により、ゴルファーの目１２が、ゴルファーの左右方向について、本来あるべきヘッド２の上方の正確な位置にあるか否かを判断できる。
【００６５】
そして、この実施形態によると、ヘッド２の内部に設ける透明部材の個数を１個とすることができる。この透明部材４４は、図１０で示されている第２透明部材３４をそのまま用いたものでもよい。
【００６６】
以上説明した実施形態の透明部材４，１４，２４，３４，４４は、ヘッド２の上下厚さ寸法と同じ上下長さを有するものであったが、図１２及び図１３に示されている実施形態の透明部材５４，６４は、ヘッド２の上下厚さ寸法よりも小さい上下長さを有するものとなっている。すなわち、図１２及び図１３において、ヘッド２の上面から下方へ延びる長さを有するものとして２個形成される孔５５は、ヘッド２の下面まで達しない不貫通孔５５となっており、透明部材５４，６４の上下長さは、これらの不貫通孔５５の上下深さと同じになっている。
【００６７】
また、図１２及び図１３の実施形態のヘッド２は、図３及び図４の実施形態と同じく、アルミ製又はアルミ合金製又はスチール製又はステンレス等の金属製の副部３Ａの上に、柿、樫、楓等の硬質の木材で形成された主部３Ｂを積層したものとなっており、そして、図１３から分かるように、不貫通孔５５は、主部３Ｂに上下に貫通して形成した貫通孔の下端が副部３Ａで遮断されることにより、ヘッド２に上面のみが開口した孔として設けられている。
【００６８】
また、図１２及び図１３の実施形態の透明部材５４，６４は、図３及び図４の透明部材４，１４と対応するものとなっているため、これらの透明部材５４，６４の上下面５４Ａ，５４Ｂ，６５Ａ，６５Ｂには、透明部材４，１４のライン６，７，１６，１７と同じく、ヘッド２のフェース２Ａと直角をなす方向へ延びるライン５６，５７，６６，６７が表示されている。
【００６９】
この実施形態によると、ヘッド２に２個の不貫通５５を形成しても、これらの不貫通孔５５は、透明部材５４，６４により塞がれるため、この実施形態でも、ヘッド２には溝や不貫通穴が形成されていないことになり、このため、ゴルフ場に存在する芝の葉やバンカーの砂等の塵埃が溝や不貫通穴に侵入するという問題は発生しない。
【００７０】
また、この実施形態によると、透明部材５４，６４の下面はヘッド２の下面に露出しないため、ゴルファーがグリーンでゴルフボール１１を打つためにパタークラブ１をスイングしても、ライン５７，６７が表示されている透明部材５４，６４の下面５４Ｂ，６４Ｂに擦り傷等が生ずるおそれはない。
【００７１】
なお、図１２及び図１３で示した実施形態は、図６で示した実施形態のように、ヘッド２を上下三層構造とする場合や、透明部材の上下面に表示するラインを図８、図１０、図１１で示したラインとする場合にも適用することができ、また、図１２及び図１３の実施形態でも、ヘッド２の上面に水準器を設けてもよい。
【産業上の利用可能性】
【００７２】
本発明は、ゴルフ用パタークラブのヘッドに利用することができる。
【符号の説明】
【００７３】
１  ゴルフ用パタークラブ
２  ヘッド
２Ａ  フェース
４，１４，２４，３４，４４，５４，６４  透明部材
４Ａ，１４Ａ，２４Ａ，３４Ａ，４４Ａ，５４Ａ，６４Ａ  上面
４Ｂ，１４Ｂ，２４Ｂ，３４Ｂ，４４Ｂ，５４Ｂ，６４Ｂ  下面
６，７，１６，１７，２６，２７，３６，３７，３８，３９，４６，４７，４８，４９，５６，５７，６６，６７  マークであるライン
１０  シャフト
１１  ゴルフボール
１２  ゴルファーの目
【図１】
2013094431.tif 000003
【図２】
2013094431.tif 000004
【図３】
2013094431.tif 000005
【図４】
2013094431.tif 000006
【図５】
2013094431.tif 000007
【図６】
2013094431.tif 000008
【図７】
2013094431.tif 000009
【図８】
2013094431.tif 000010
【図９】
2013094431.tif 000011
【図１０】
2013094431.tif 000012
【図１１】
2013094431.tif 000013
【図１２】
2013094431.tif 000014
【図１３】
2013094431.tif 000015